(57)【要約】【課題】圧力安定性を高めることのできるフィードバック制御が可能なボイラシステムを提供すること。【解決手段】燃焼率を変更して燃焼可能な複数のボイラ２０を備えるボイラ群２と、ボイラ群２から出力される蒸気出力のフィードバック制御によりボイラ群２の燃焼状態を制御する制御部４と、を備えるボイラシステム１であって、制御部４は、ボイラ群２の燃焼率を算出する燃焼率算出部４１と、ボイラ群２の燃焼率が低いほど比例ゲインを低く調整し、ボイラ群２の燃焼率が高いほど比例ゲインを高く調整する比例ゲイン調整部４２と、調整された比例ゲインに基づいてフィードバック制御によりボイラ群２の燃焼状態を制御するフィードバック制御部４３と、を備える。【選択図】図５
2015140975.tif 000002
【特許請求の範囲】
【請求項１】
燃焼率を変更して燃焼可能な複数のボイラを備えるボイラ群と、前記ボイラ群から出力される蒸気出力のフィードバック制御により前記ボイラ群の燃焼状態を制御する制御部と、を備えるボイラシステムであって、
前記制御部は、
前記ボイラ群の燃焼率を算出する燃焼率算出部と、
前記フィードバック制御に用いる比例ゲインを、算出した前記燃焼率に基づき調整する比例ゲイン調整部と、
調整された前記比例ゲインに基づいて前記フィードバック制御により前記ボイラ群の燃焼状態を制御するフィードバック制御部と、
を備え、
比例ゲイン調整部は、前記ボイラ群の燃焼率が低いほど前記比例ゲインを低く調整し、前記ボイラ群の燃焼率が高いほど前記比例ゲインを高く調整する、ボイラシステム。
【請求項２】
前記燃焼率算出部は、前記ボイラ群から出力される出力蒸気量を前記ボイラ群が出力可能な最大蒸気量で除算することで前記ボイラ群の燃焼率を算出する、請求項１に記載のボイラシステム。
【請求項３】
前記燃焼率算出部は、燃焼状態にあるボイラの台数に基づいて、前記ボイラ群の燃焼率を算出する、請求項１に記載のボイラシステム。
【発明の詳細な説明】
【技術分野】
【０００１】
本発明は、燃焼率を変更して燃焼可能な複数のボイラを有するボイラ群を備えるボイラシステムに関する。
【背景技術】
【０００２】
従来、複数のボイラと、蒸気使用設備の蒸気消費量（要求負荷）に応じてボイラの燃焼率を制御する制御部と、を備えたボイラシステムが知られている。このようなボイラシステムでは、蒸気ヘッダの蒸気圧力が蒸気消費量の変動に係わらず一定の目標圧力となるように、蒸気圧力のフィードバック制御を行うことでボイラの燃焼率が制御される。
即ち、目標圧力と蒸気ヘッダの蒸気圧力との偏差に比例ゲインを乗算した値を操作量（指示蒸気量）として算出し、この操作量に応じて複数のボイラから指示蒸気量分の蒸気が発生するように、ボイラの燃焼率を制御する。
【０００３】
このようなフィードバック制御では、圧力安定性を高めるために比例ゲインを適切に設定する必要がある。この点、特許文献１には、燃焼するボイラの台数に応じて圧力制御比例帯を調整するボイラの台数制御方法が開示されている。この台数制御方法によれば、ボイラの台数に応じて圧力制御比例帯が変更されるため、結果として、燃焼台数によって比例ゲインも変更されることになる。
【先行技術文献】
【特許文献】
【０００４】
【特許文献１】特許第３８０８３０３号公報
【発明の概要】
【発明が解決しようとする課題】
【０００５】
ところで、特許文献１の台数制御方法では、ＰＢａ＝ＰＢ（１＋（Ｎｃ−１）Ｋ）により圧力制御比例帯（ＰＢａ）を算出するため、燃焼台数（Ｎｃ）が多いほど圧力制御比例帯（ＰＢａ）が広くなり、燃焼台数（Ｎｃ）が少ないほど圧力制御比例帯（ＰＢａ）が狭くなる。その結果、特許文献１の台数制御方法では、燃焼台数（Ｎｃ）が多い（高負荷時）ほど比例ゲインが低くなり、燃焼台数（Ｎｃ）が少ない（低負荷時）ほど比例ゲインが高くなる。
【０００６】
この点、比例ゲインを高く設定すると偏差に対して大きな操作量が算出され、比例ゲインを低く設定すると偏差に対して小さな操作量が算出される。そのため、特許文献１の台数制御方法のように、蒸気使用設備が多くの蒸気を使用している高負荷時に比例ゲインを低く設定すると、高負荷時に操作量が過少に算出され、負荷追従が遅れ高負荷時の圧力安定性が低下してしまう。同様に、蒸気使用設備があまり蒸気を使用しない低負荷時に比例ゲインを高く設定すると、低負荷時に操作量が過剰に算出され、ハンチング等の発生により低負荷時の圧力安定性が低下してしまう。
【０００７】
本発明は、このような問題に鑑みてなされたものであり、圧力安定性を高めることのできるフィードバック制御が可能なボイラシステムを提供することを目的とする。
【課題を解決するための手段】
【０００８】
本発明は、燃焼率を変更して燃焼可能な複数のボイラを備えるボイラ群と、前記ボイラ群から出力される蒸気出力のフィードバック制御により前記ボイラ群の燃焼状態を制御する制御部と、を備えるボイラシステムであって、前記制御部は、前記ボイラ群の燃焼率を算出する燃焼率算出部と、前記フィードバック制御に用いる比例ゲインを、算出した前記燃焼率に基づき調整する比例ゲイン調整部と、調整された前記比例ゲインに基づいて前記フィードバック制御により前記ボイラ群の燃焼状態を制御するフィードバック制御部と、を備え、比例ゲイン調整部は、前記ボイラ群の燃焼率が低いほど前記比例ゲインを低く調整し、前記ボイラ群の燃焼率が高いほど前記比例ゲインを高く調整するボイラシステムに関する。
【０００９】
また、前記燃焼率算出部は、前記ボイラ群から出力される出力蒸気量を前記ボイラ群が出力可能な最大蒸気量で除算することで前記ボイラ群の燃焼率を算出することが好ましい。
【００１０】
また、本発明は、前記燃焼率算出部は、燃焼状態にあるボイラの台数に基づいて、前記ボイラ群の燃焼率を算出することが好ましい。
【発明の効果】
【００１１】
本発明によれば、ボイラ群の燃焼率に応じて比例ゲインを適切に調整するため、圧力安定性を高めることのできるフィードバック制御が可能なボイラシステムを提供することができる。
【図面の簡単な説明】
【００１２】
【図１】本発明の実施形態に係るボイラシステムの概略を示す図である。
【図２】ボイラ群の概略を示す図である。
【図３】制御部の構成を示す機能ブロック図である。
【図４】制御部の制御フローを示す説明図である。
【図５】比例ゲイン（ＫＰ）の算出方法を示す説明図である。
【発明を実施するための形態】
【００１３】
以下、本発明のボイラシステムの好ましい実施形態について、図面を参照しながら説明する。
まず、本発明のボイラシステム１の全体構成につき、図１を参照しながら説明する。ボイラシステム１は、複数（５台）のボイラ２０を含むボイラ群２と、これら複数のボイラ２０において生成された蒸気を集合させる蒸気ヘッダ６と、この蒸気ヘッダ６の内部の圧力を測定する蒸気圧センサ７と、ボイラ群２の燃焼状態を制御する制御部４を有する台数制御装置３と、を備える。
【００１４】
ボイラ群２は、蒸気使用設備１８に供給する蒸気を生成する。
蒸気ヘッダ６は、蒸気管１１を介してボイラ群２を構成する複数のボイラ２０に接続されている。この蒸気ヘッダ６の下流側は、蒸気管１２を介して蒸気使用設備１８に接続されている。
蒸気ヘッダ６は、ボイラ群２で生成された蒸気を集合させて貯留することにより、複数のボイラ２０の相互の圧力差及び圧力変動を調整し、圧力が調整された蒸気を蒸気使用設備１８に供給する。
【００１５】
蒸気圧センサ７は、信号線１３を介して、台数制御装置３に電気的に接続されている。蒸気圧センサ７は、蒸気ヘッダ６の内部の蒸気圧（ボイラ群２で発生した蒸気の圧力）を測定し、測定した蒸気圧に係る信号（蒸気圧信号）を、信号線１３を介して台数制御装置３に送信する。
【００１６】
台数制御装置３は、信号線１６を介して、複数のボイラ２０と電気的に接続されている。この台数制御装置３は、蒸気圧センサ７により測定される蒸気ヘッダ６の内部の蒸気圧に基づいて、各ボイラ２０の燃焼状態を制御する。台数制御装置３の詳細については、後述する。
【００１７】
以上のボイラシステム１は、ボイラ群２で発生させた蒸気を、蒸気ヘッダ６を介して、蒸気使用設備１８に供給可能とされている。
ボイラシステム１において要求される負荷（要求負荷）は、蒸気使用設備１８における蒸気消費量である。台数制御装置３は、この蒸気消費量の変動に対応して生じる蒸気ヘッダ６の内部の蒸気圧の変動を、蒸気圧センサ７が測定する蒸気ヘッダ６の内部の蒸気圧（物理量）に基づいて算出し、ボイラ群２を構成する各ボイラ２０の燃焼状態を制御する。
【００１８】
具体的には、蒸気使用設備１８の需要の増大により要求負荷（蒸気消費量）が増加し、蒸気ヘッダ６に供給される蒸気量（後述の出力蒸気量）が不足すれば、蒸気ヘッダ６の内部の蒸気圧が減少することになる。一方、蒸気使用設備１８の需要の低下により要求負荷（蒸気消費量）が減少し、蒸気ヘッダ６に供給される蒸気量が過剰になれば、蒸気ヘッダ６の内部の蒸気圧が増加することになる。従って、ボイラシステム１は、蒸気圧センサ７により測定された蒸気圧の変動に基づいて、要求負荷の変動をモニターすることができる。そして、ボイラシステム１は、蒸気ヘッダ６の蒸気圧に基づいて、蒸気使用設備１８の消費蒸気量（要求負荷）に応じて必要とされる蒸気量である必要蒸気量を算出する。
【００１９】
ここで、本実施形態のボイラシステム１を構成する複数のボイラ２０について説明する。図２は、本実施形態に係るボイラ群２の概略を示す図である。
本実施形態のボイラ２０は、燃焼率を連続的に変更して燃焼可能な比例制御ボイラからなる。
比例制御ボイラとは、少なくとも、最小燃焼状態Ｓ１（例えば、燃焼率の２０％の燃焼状態）から最大燃焼状態Ｓ２の範囲で、燃焼率が連続的に制御可能とされているボイラである。比例制御ボイラは、例えば、燃料をバーナに供給するバルブや、燃焼用空気を供給するバルブの開度（燃焼比）を制御することにより、燃焼率を調整するようになっている。
【００２０】
また、燃焼率を連続的に制御するとは、後述のローカル制御部２２における演算や信号がデジタル方式とされて段階的に取り扱われる場合（例えば、ボイラ２０の出力（燃焼率）が１％刻みで制御される場合）であっても、事実上連続的に出力を制御可能な場合を含む。
【００２１】
本実施形態では、ボイラ２０の燃焼停止状態Ｓ０と最小燃焼状態Ｓ１との間の燃焼状態の変更は、ボイラ２０（バーナ）の燃焼をオン／オフすることで制御される。そして、最小燃焼状態Ｓ１から最大燃焼状態Ｓ２の範囲においては、燃焼率が連続的に制御可能となっている。
より具体的には、複数のボイラ２０それぞれには、変動可能な蒸気量の単位である単位蒸気量Ｕが設定されている。これにより、ボイラ２０は、最小燃焼状態Ｓ１から最大燃焼状態Ｓ２の範囲においては、単位蒸気量Ｕ単位で、蒸気量を変更可能となっている。
【００２２】
単位蒸気量Ｕは、ボイラ２０の最大燃焼状態Ｓ２における蒸気量（最大蒸気量）に応じて適宜設定できるが、ボイラシステム１における出力蒸気量の必要蒸気量に対する追従性を向上させる観点から、ボイラ２０の最大蒸気量の０．１％〜２０％に設定されることが好ましく、１％〜１０％に設定されることがより好ましい。
尚、本実施形態のボイラ２０の最大蒸気量は７０００ｋｇ／ｈである（即ち、ボイラ２０は７ｔボイラである）。また、出力蒸気量とは、ボイラ群２により出力される蒸気量を示し、この出力蒸気量は、複数のボイラ２０それぞれから出力される蒸気量の合計値により表される。
【００２３】
また、複数のボイラ２０には、それぞれ優先順位が設定されている。優先順位は、燃焼指示や燃焼停止指示を行うボイラ２０を選択するために用いられる。優先順位は、例えば整数値を用いて、数値が小さいほど優先順位が高くなるよう設定することができる。図２に示すように、ボイラ２０の１号機〜５号機のそれぞれに「１」〜「５」の優先順位が割り当てられている場合、１号機の優先順位が最も高く、５号機の優先順位が最も低い。この優先順位は、通常の場合、後述の制御部４の制御により、所定の時間間隔（例えば、２４時間間隔）で変更される。
【００２４】
次に、本実施形態のボイラシステム１による複数のボイラ２０の燃焼状態の制御の詳細について説明する。
台数制御装置３は、蒸気圧センサ７からの蒸気圧信号に基づいて、要求負荷に応じたボイラ群２の必要燃焼量、及び必要燃焼量に対応する各ボイラ２０の燃焼状態を算出し、各ボイラ２０（後述のローカル制御部２２）に台数制御信号を送信する。より詳細には、台数制御装置３は、蒸気使用設備１８に応じて予め設定された目標圧力と蒸気ヘッダ６内の蒸気圧力（ヘッダ圧力）との偏差に対して、所定のＰＩＤアルゴリズムに基づくフィードバック制御を行うことで、ヘッダ圧力が目標圧力となるために必要な総蒸気量（操作量）を算出し、算出した総蒸気量分の蒸気がボイラ群２から出力されるようにボイラ２０の燃焼状態を制御する。
この台数制御装置３は、図１に示すように、記憶部５と、制御部４と、を備える。
【００２５】
記憶部５は、台数制御装置３（制御部４）の制御により各ボイラ２０に対して行われた指示の内容や、各ボイラ２０から受信した燃焼状態等の情報、複数のボイラ２０の燃焼パターンの設定条件等の情報、複数のボイラ２０の優先順位の設定の情報、優先順位の変更（ローテーション）に関する設定の情報等を記憶する。また、記憶部５は、比例ゲインを算出するために必要な情報（後述の最大比例ゲイン等）も記憶する。
【００２６】
制御部４は、信号線１６を介して各ボイラ２０に各種の指示を行ったり、各ボイラ２０から各種のデータを受信したりして、５台のボイラ２０の燃焼状態や優先順位を制御する。各ボイラ２０は、台数制御装置３から燃焼状態の変更指示の信号を受けると、その指示に従って当該ボイラ２０を制御する。
【００２７】
ボイラ２０は、図１に示すように、燃焼が行われるボイラ本体２１と、ボイラ２０の燃焼状態を制御するローカル制御部２２と、を備える。
ローカル制御部２２は、要求負荷に応じてボイラ２０の燃焼状態を変更させる。具体的には、ローカル制御部２２は、信号線１６を介して台数制御装置３から送信される台数制御信号に基づいて、ボイラ２０の燃焼状態を制御する。
また、ローカル制御部２２は、台数制御装置３で用いられる信号を、信号線１６を介して台数制御装置３に送信する。台数制御装置３で用いられる信号としては、ボイラ２０の実際の燃焼状態、及びその他のデータが挙げられる。
【００２８】
図３は、台数制御装置３の制御部４の構成を示す機能ブロック図である。制御部４は、燃焼率算出部４１と、比例ゲイン調整部４２と、フィードバック制御部４３と、を含んで構成される。
【００２９】
燃焼率算出部４１は、ボイラ群２の燃焼率を算出する。ここで、燃焼率算出部４１が算出する燃焼率は、ボイラ群２の燃焼率である。例えば、５台のボイラ２０の全てが１００％の燃焼率で燃焼している状態では、ボイラ群２の燃焼率は１００％になり、５台のボイラ２０のうち３台のボイラ２０が１００％で燃焼し、その他のボイラ２０が燃焼していない状態では、ボイラ群２の燃焼率は６０％になる。
尚、燃焼率の算出は、任意の方法により行うこととしてよく、燃焼率算出部４１は、例えば、ボイラ群２から出力される出力蒸気量をボイラ群２が出力可能な最大蒸気量で除算することで、ボイラ群２の燃焼率を算出することとしてもよい。本実施形態では、５台のボイラ２０は７ｔボイラであるため、ボイラ群２が出力可能な最大蒸気量は３５０００ｋｇ／ｈである。そのため、例えば、ボイラ群２から出力される出力蒸気量が２１０００ｋｇ／ｈである場合には、燃焼率算出部４１は、ボイラ群２の燃焼率を６０％と算出する。
また、燃焼率算出部４１は、燃焼状態にあるボイラ２０の台数に基づいて、ボイラ群の燃焼率を算出することとしてもよい。具体的には、ボイラ２０に対して１台当たりの燃焼率を予め設定しておき、この設定した燃焼率を燃焼状態にあるボイラ２０の台数分だけ加算することで、ボイラ群２の燃焼率を算出することとしてもよい。本実施形態では、５台のボイラ２０でボイラ群２を構成することとしているため、１台当たりの燃焼率は、２０％以下であることが好ましい。一例として、１台当たり１５％と設定していた場合には、燃焼状態にあるボイラ２０の台数が２台であるときボイラ群２の燃焼率は３０％となり、燃焼状態にあるボイラ２０の台数が３台であるときボイラ群２の燃焼率は４５％となる。
【００３０】
比例ゲイン調整部４２は、ボイラ２０の燃焼状態を制御するフィードバック制御に用いる比例ゲインを、算出したボイラ群２の燃焼率に基づいて調整する。詳細については、後述するが、比例ゲイン調整部４２は、ボイラ群２の燃焼率が低いほど比例ゲインを低く調整し、ボイラ群２の燃焼率が高いほど比例ゲインを高く調整する。
【００３１】
フィードバック制御部４３は、調整された比例ゲインに基づいてフィードバック制御によりボイラ群２の燃焼状態を制御する。即ち、フィードバック制御部４３は、目標圧力とヘッダ圧力との偏差に対して、比例ゲインに基づく所定の演算を行うことで（Ｐ制御）、ヘッダ圧力が目標圧力となるために必要な総蒸気量（操作量）を算出し、この操作量に基づいてボイラ２０の燃焼状態を制御する。
【００３２】
続いて、図４を参照して制御部４の動作について説明する。図４は、制御部４の制御フローを示す説明図である。
【００３３】
初めに、燃焼率算出部４１がボイラ群２の燃焼率を算出すると、算出した燃焼率が比例ゲイン調整部４２に供給され、比例ゲインの演算が行われる。比例ゲインの演算では、比例ゲイン調整部４２は、記憶部５から比例ゲイン最大値及び比例ゲイン最小値を読み出す。
【００３４】
尚、比例ゲイン最大値（ＫＰｍａｘ）は、ボイラ群２の燃焼率が１００％である場合の比例ゲインである。比例ゲイン最大値（ＫＰｍａｘ）は、ボイラ群２の最大蒸気量（３５０００ｋｇ／ｈ）を比例帯及びフルスケール圧力から算出される制御幅で除算することで算出され、本実施形態では予め設定しておくものとする。
比例ゲイン最大値（ＫＰｍａｘ）＝最大蒸気量／（比例帯×フルスケール圧力）
比例帯×フルスケール圧力＝制御幅
【００３５】
また、比例ゲイン最小値（ＫＰｍｉｎ）は、ボイラ群２の燃焼率が０％である場合、即ち、ボイラ２０の全てが燃焼を停止している場合の比例ゲインである。比例ゲイン最小値（ＫＰｍｉｎ）は、比例ゲイン最大値（ＫＰｍａｘ）に対して補正係数（Ａ）を乗算することで算出される。尚、補正係数（Ａ）は、０．１〜１．０までの間の任意の値であり、予め設定しておくものとする。
比例ゲイン最小値（ＫＰｍｉｎ）＝比例ゲイン最大値（ＫＰｍａｘ）×補正係数（Ａ）
【００３６】
これら比例ゲイン最大値（ＫＰｍａｘ）及び比例ゲイン最小値（ＫＰｍｉｎ）を記憶部５から読み出すと、比例ゲイン調整部４２は、ボイラ群２の燃焼率（Ｆ）、比例ゲイン最大値（ＫＰｍａｘ）及び比例ゲイン最小値（ＫＰｍｉｎ）により、現在の燃焼率（Ｆ）に基づいて比例ゲイン（ＫＰ）を算出（調整）する。
【００３７】
ここで、比例ゲイン（ＫＰ）の算出方法について図５を参照して具体的に説明する。図５は、比例ゲイン調整部４２による比例ゲイン（ＫＰ）の算出方法を示す説明図である。
図５（１）を参照して、現在の燃焼率（Ｆ）に応じた比例ゲイン（ＫＰ）は、比例ゲイン最大値（ＫＰｍａｘ）及び比例ゲイン最小値（ＫＰｍｉｎ）の２点を通る直線を用いて算出する。即ち、現在の燃焼率（Ｆ）に応じた比例ゲイン（ＫＰ）は、以下の式により算出する。
【数１】
2015140975.tif 000003
ここで、燃焼率（Ｆ）は、「出力蒸気量／最大蒸気量」により算出されるため、上記式は、以下のように表される。
【数２】
2015140975.tif 000004
【００３８】
尚、図５（１）では、比例ゲイン最大値（ＫＰｍａｘ）及び比例ゲイン最小値（ＫＰｍｉｎ）の２点を通る「直線」を用いて現在の燃焼率（Ｆ）に応じた比例ゲイン（ＫＰ）を算出することとしているが、これに限られるものではなく、図５（２）に示すように２点を通る任意の曲線Ｌ１，Ｌ２により算出することとしてもよい。
【００３９】
これにより、比例ゲイン調整部４２は、ボイラ群２の燃焼率（Ｆ）が低いほど比例ゲイン（ＫＰ）を低く調整し、ボイラ群２の燃焼率（Ｆ）が高いほど比例ゲイン（ＫＰ）を高く調整することができる。
【００４０】
図４に戻り、ボイラ群２の燃焼率（Ｆ）に応じて比例ゲイン（ＫＰ）を調整すると、フィードバック制御部４３は、目標圧力とヘッダ圧力との偏差と比例ゲイン（ＫＰ）とから操作量（出力すべき蒸気量）を算出し、この操作量に基づいて各ボイラ２０の燃焼状態を制御する。これにより、蒸気ヘッダ６内の蒸気圧力が目標圧力と略一致するようにボイラ２０の燃焼状態を制御することができる。
【００４１】
以上説明した本実施形態のボイラシステム１によれば、以下のような効果を奏する。
【００４２】
（１）本実施形態のボイラシステム１においては、目標圧力とヘッダ圧力との偏差に基づくフィードバック制御によりボイラ群２の燃焼状態を制御するところ、フィードバック制御に用いる比例ゲイン（ＫＰ）をボイラ群２の燃焼率（Ｆ）に応じて調整する。具体的には、台数制御装置３の制御部４は、ボイラ群２の燃焼率（Ｆ）が低いほど比例ゲイン（ＫＰ）を低く調整し、ボイラ群２の燃焼率（Ｆ）が高いほど比例ゲイン（ＫＰ）を高く調整する。
これにより、高負荷時には、目標圧力とヘッダ圧力との偏差に対して大きな操作量が算出されることになるため、早急な負荷追従を実現でき、圧力安定性が向上する。また、低負荷時には、目標圧力とヘッダ圧力との偏差に対して小さな操作量が算出されることになるため、制御の安定性が向上しハンチング等の発生を防止でき、圧力安定性が向上する。
【００４３】
（２）制御部４は、ボイラ群２から出力される出力蒸気量をボイラ群２が出力可能な最大蒸気量で除算することでボイラ群２の燃焼率（Ｆ）を算出する。このような構成によれば、ボイラ群２の燃焼率（Ｆ）を正確に算出することができるため、比例ゲイン（ＫＰ）をより適切に調整することができる。
【００４４】
（３）制御部４は、燃焼状態にあるボイラ２０の台数に基づいて、ボイラ群２の燃焼率（Ｆ）を算出する。このような構成によれば、ボイラ群２の燃焼率（Ｆ）を直接算出できない場合であっても、燃焼状態にあるボイラ２０の台数から間接的にボイラ群２の燃焼率（Ｆ）を算出することができ、好適である。
【００４５】
以上、本発明のボイラシステム１の好ましい一実施形態につき説明したが、本発明は、上述の実施形態に制限されるものではなく、適宜変更が可能である。
例えば、上記実施形態ではフィードバック制御についてＰ制御についてのみ説明し、その他の制御（Ｉ制御及びＤ制御）についての詳細を省略している。この点、フィードバック制御部４３が実行するフィードバック制御は、Ｐ制御に限らずＰＩ制御やＰＩＤ制御等であってもよい。
【００４６】
また、上記実施形態では、複数のボイラ２０を比例制御ボイラにより構成することとしているが、ボイラ２０は比例制御ボイラに限らず、段階値制御ボイラにより構成することとしてもよい。尚、段階値制御ボイラとは、複数の段階的な燃焼位置を有し、燃焼を選択的にオン／オフしたり、炎の大きさを調整したりすること等により燃焼量を制御して、選択された燃焼位置に応じて燃焼量を段階的に増減可能なボイラである。一例として、複数のボイラ２０を、燃焼停止位置、低燃焼位置及び高燃焼位置の３位置を有する３位置ボイラにより、構成することとしてもよい。もちろん、ボイラ２０は、３位置に限らず、任意のＮ位置の燃焼位置を有することとしてもよい。
【００４７】
また、例えば、本実施形態では、本発明を、５台のボイラ２０からなるボイラ群２を備えるボイラシステムに適用したが、これに限らない。即ち、本発明を、６台以上のボイラからなるボイラ群を備えるボイラシステムに適用してもよく、また、２台のボイラからなるボイラ群を備えるボイラシステムに適用してもよい。
【符号の説明】
【００４８】
１  ボイラシステム
２  ボイラ群
２０  ボイラ
３  台数制御装置
４  制御部
４１  燃焼率算出部
４２  比例ゲイン調整部
４３  フィードバック制御部
【図１】
2015140975.tif 000005
【図２】
2015140975.tif 000006
【図３】
2015140975.tif 000007
【図４】
2015140975.tif 000008
【図５】
2015140975.tif 000009